(57)【要約】【課題】確実に目視しながら機器を吊りボルトと吊り金具を使用して設置固定できるとともに、吊り金具の設置安定性が向上することとなる機器取付用の吊り金具を提供する。【解決手段】換気装置２の天井部より上方の位置でフラップ金具１６を吊りボルト１３に固定するとともに、補助金具２０の左右傾き方向の動きを阻止するようにその下端の両端部に爪部２１を設け、爪部２１を換気装置２のフランジ部４に当接させて補助金具２０を固定することにより、確実に目視しながら換気装置２を吊りボルト１３と吊り金具を使用して設置固定できるとともに、吊り金具の設置安定性が向上することとなる。【選択図】　図２
2004028530.tif 000002
【特許請求の範囲】
【請求項１】
建物の天井裏内に設けられ、側部にダクトと接続されるアダプターを設け、一端側に外方に突出したフランジ部を設けた箱体と、この箱体の内部に設けた送風部とを備えた機器を、前記天井裏内で保持し取り付けるために、前記建物に固定され下方に延びる吊りボルトに取り付けられるフラップ金具と、このフラップ金具に取り付けられる補助金具とを備えた機器取付用の吊り金具であって、前記機器の天井部より上方の位置で前記フラップ金具を前記吊りボルトに固定するとともに、前記補助金具の左右傾き方向の動きを阻止するようにその下端の両端部に爪部を設け、前記爪部を前記機器の前記フランジ部に当接させて前記補助金具を固定することを特徴とする機器取付用の吊り金具。
【請求項２】
フラップ金具に設けられた貫通口に六角ねじを通し、水平方向から締め付けて補助金具の上部に螺合固定することを特徴とする請求項１の機器取付用の吊り金具。
【請求項３】
補助金具の上部に水平面を設け、この水平面にフラップ金具の下面を当接させ、六角ねじで連結することを特徴とする請求項１に記載の機器取付用の吊り金具。
【請求項４】
フラップ金具の一端側を円弧状に形成したことを特徴とする請求項３に記載の機器取付用の吊り金具。
【請求項５】
機器の箱体のフランジ部に形成される基部から前記機器の側面から一定間隔設けて上方に突出する保持部を形成した係合部に補助金具の端部を係合させることを特徴とする請求項１〜４のいずれかに記載の機器取付用の吊り金具。
【請求項６】
請求項１〜５のいずれかに記載の機器取付用の吊り金具を使用して建物の天井裏内で保持し取り付けることを特徴とする換気装置。
【発明の詳細な説明】
【０００１】
【発明の属する技術分野】
本発明は、空調機、換気装置などの機器を建物からぶら下がっている吊りボルトに用いて取り付ける機器取付用の吊り金具に関するものである。
【０００２】
【従来の技術】
従来、この種の機器取付用の吊り金具としては、図８および図９に示す吊り金具１１６がある。図８および図９に示すように、吊り金具１１６と吊りボルト１１３をワッシャー１１５ａ、１１５ｂとナット１１４ａ、１１４ｂで締めつける固定部が換気装置１０２の側面近傍のなかほどにあり、吊り金具１１６の下部をフランジ部１０４に当接し、吊り金具１１６のＵ字口に吊りボルト１１３を通しワッシャー１１５ａ、１１５ｂとナット１１４ａ、１１４ｂで締め付け、吊り金具１１６と換気装置１０２を換気装置１０２の内側下部よりねじ１１９で固定することを特徴とする吊り金具であった。
【０００３】
【発明が解決しようとする課題】
しかしながら、前記従来の構成では、吊り金具１１６と吊りボルト１１３をワッシャー１１５ａ、１１５ｂとナット１１４ａ、１１４ｂで締めつける固定部が換気装置１０２の天面部１２０を超えていないため、換気装置１０２を設置する際に作業者１１０が点検口１０７から見て締めつけ作業をするときに前記固定部が換気装置１０２に隠れ、締めつけ作業を手探りで行わなければならないという課題があった。
【０００４】
また、換気装置１０２のフランジ部１０４に設けてある袋部１１７に吊り金具１１６の歯１１８を挿入し、吊り金具１１６を換気装置１０２の下部内側よりねじ１１９で固定する場合に、左右傾き方向の動きに対し固定が不十分であるという課題があった。
【０００５】
本発明は、前記従来の課題を解決するもので、機器を吊り金具と吊りボルトを用いて固定する際の施工時に吊り金具と吊りボルトを固定する作業が確実に目視しながらできる機器取付用の吊り金具を提供することを目的とする。
【０００６】
また、吊り金具と機器との固定がより強固なものとなり、機器の設置安定性が改善された機器取付用の吊り金具を提供することを目的とする。
【０００７】
【課題を解決するための手段】
前記従来の課題を解決するために、本発明の機器取付用吊り金具は、建物の天井裏内に設けられ、、側部にダクトと接続されるアダプターを設け、一端側に外方に突出したフランジ部を設けた箱体と、この箱体の内部に設けた送風部とを備えた機器を、前記天井裏内で保持し取り付けるために、前記建物に固定され下方に延びる吊りボルトに取り付けられるフラップ金具と、このフラップ金具に取り付けられる補助金具とを備えた機器取付用の吊り金具であって、前記機器の天井部より上方の位置で前記フラップ金具を前記吊りボルトに固定するとともに、前記補助金具の左右傾き方向の動きを阻止するようにその下端の両端部に爪部を設け、前記爪部を前記機器の前記フランジ部に当接させて前記補助金具を固定することを特徴とするの下端の両端部に爪部を設け、前記換気装置のフランジに当接させて固定したものである。
【０００８】
また、本発明の機器取付用吊り金具は、フラップ金具に設けられた貫通口に六角ねじを通し、水平方向から締め付けて補助金具の上部に螺合固定したものである。
【０００９】
また、本発明の機器取付用吊り金具は、補助金具の上部に水平面を設け、この水平面にフラップ金具の下面を当接させ、六角ねじで連結したものである。
【００１０】
また、本発明の機器取付用吊り金具は、フラップ金具の一端側を円弧状に形成したものである。
【００１１】
また、本発明の機器取付用吊り金具は、機器の箱体のフランジ部に形成される基部から前記機器の側面から一定間隔設けて上方に突出する保持部を形成した係合部に補助金具の端部を係合させるものである。
【００１２】
また、本発明の換気装置は、請求項１〜５のいずれかに記載の機器取付用の吊り金具を使用して建物の天井裏内で保持し取り付けるものである。
【００１３】
【発明の実施の形態】
請求項１に記載の発明は、機器の天井部より上方の位置で前記フラップ金具を吊りボルトに固定するとともに、補助金具の左右傾き方向の動きを阻止するようにその下端の両端部に爪部を設け、前記爪部を前記機器のフランジ部に当接させて前記補助金具を固定することにより、吊り金具と吊りボルトを締めつけ固定する作業が確実に目視しながら行うことができるとともに、吊り金具の設置安定性が向上することとなる。
【００１４】
請求項２に記載の発明は、特に請求項１に記載の機器取付用の吊り金具において、フラップ金具に設けられた貫通口に六角ねじを通し、水平方向から締め付けて補助金具の上部に螺合固定したことにより、フラップ金具と補助金具とを水平方向より締めつけ作業ができる。
【００１５】
請求項３に記載の発明は、特に請求項１に記載の機器取付用の吊り金具において、補助金具の上部に水平面を設け、この水平面にフラップ金具の下面を当接させ、六角ねじで連結したことにより、フラップ金具が補助金具の上部の水平面上で可動自在で、吊りボルトと吊り金具との締めつけ位置の誤差を緩和させることができる。
【００１６】
請求項４に記載の発明は、特に請求項３に記載の機器取付用の吊り金具において、フラップ金具の一端側を円弧状に形成したことにより、フラップ金具が水平面上で移動または回動するような状況が発生したとしても、フラップ金具の周辺に存在する電源部またはコードを損傷することがなくなる。
【００１７】
請求項５に記載の発明は、特に請求項１〜４のいずれかに記載の機器取付用の吊り金具において、機器の箱体のフランジ部に形成される基部から前記機器の側面から一定間隔設けて上方に突出する保持部を形成した係合部に補助金具の端部を係合させることにより、補助金具と係合部を係合させた際に、係合部に設けてある保持部により、吊り金具の前後の傾き方向の動きも阻止することができる。
【００１８】
請求項６に記載の発明は、特に請求項１〜５のいずれかに記載の機器取付用の吊り金具を使用して換気装置を建物の天井裏内で保持し取り付けることにより、換気装置の天井裏内での取り付けが容易に行うことができる。
【００１９】
以下、本発明の実施の形態について、図面を参照しながら説明する。
【００２０】
（実施の形態１）
図１および図２に示すように、下面に吸込口１を有し、側部にダクト１１と接続されるアダプター５を備えた吹出口３を設け、一端側に外方に突出したフランジ部４を有する箱体の内部に送風部として送風機を具備する機器である換気装置２を構成する。天井張り６に点検口７と埋め込み口８を設け、埋め込み口８より天井張り６上側にある天井裏９の空間に換気装置２を入れ込み、フランジ部４の水平面を天井張り６の室内面と当接させ、作業者１０は点検口７より覗き設置作業をする。天井裏９の空間内に、アダプター５のダクト１１側接続口にダクト１１を接続し、ダクト１１を天井裏９の空間内を配管し室外に連通させる。そして、下面の吸込口１より室内の空気を吸込み、側面の吹出口３、アダプター５のダクト１１接続口を通り、接続したダクト１１より室外に排出する。
【００２１】
次に、天井裏９の空間に最低２本以上ぶら下がっている建物の天井壁１２などに打ち込まれている吊りボルト１３に対し、各々の吊りボルト１３にナット１４ａ、１４ｂを通し、２つのワッシャー１５ａ、１５ｂをワッシャー１５ａ、１５ｂに設けてある各々の貫通穴に吊りボルト１３を通した後にナット１４ａ、１４ｂを吊りボルト１３に通す。そして、貫通口である長穴１８とＵ字口１７を設け、Ｕ字口１７の端部は下側に向け折曲げた形状とし、これと反対側の端部が円弧状の形状となっているフラップ金具１６と、換気装置２の側面と当接する平面を備え、補助金具２０に、換気装置２の天面部２５を超えてＬ字に曲がった面を水平面状に形成し、フラップ金具１６の長穴１８に六角ねじ１９を通し、六角ねじ１９が螺合されるタップを形成する。補助金具２０の下端の中央部にフランジに設けられた袋部２３に挿入する歯２２を備え、換気装置２の側面と当接する平面に換気装置２と固定するためのねじが螺合されるタップを補助金具２０の下部に設け、フラップ金具１６に設けてある長穴１８に六角ねじ１９を通し、Ｕ字口１７の端部の折曲げ形状が下側に向くように、補助金具２０の上部の水平面にフラップ金具１６の下面を当接し、補助金具２０の上部の水平面に備えている六角ねじ１９が螺合されるタップに通して連結させる。そして、補助金具２０は、そのＬ字に曲げた端部が換気装置２側に向くようにフランジ部４に当接するものである。換気装置２の側面と補助金具２０の平面とを当接させ、補助金具２０の下端の中央部に設けてある歯２２を、フランジ部４の換気装置２の一側面の両端側に１箇所ずつ設け、換気装置２の反対の一側面にも同様に、両端側１箇所ずつ設けた袋部２３に挿入する。
【００２２】
図３および図４に示すように、袋部２３の最下部に歯２２を当接させ、また、補助金具２０の下端の両端部に設けてある爪部２１をフランジ部４に当接させ、換気装置２の下部内側より換気装置２の側面に設けてあるねじ用貫通穴にねじ２４を通し、補助金具２０に設けたねじ用タップにねじ２４を螺合し固定する。そして、吊りボルト１３に通してある２個のワッシャー１５ａ、１５ｂのうち、１個をフラップ金具１６の上面に当接させ、もう１個を下面に当接させるように、フラップ金具１６に設けてあるＵ字口１７に吊りボルト１３を挿入し、吊りボルト１３に通してある２個のナット１４ａ、１４ｂでフラップ金具１６を上面側、下面側から各々ワッシャー１５ａ、１５ｂを挟むようにナット１４ａ、１４ｂを締めつけ、吊りボルト１３とフラップ金具１６を固定する。次に、フラップ金具１６の長穴１８を通し、補助金具２０の上部に設けてある六角ねじ１９用タップに六角ねじ１９を螺合して締めつけフラップ金具１６と補助金具２０を固定する。
【００２３】
また、換気装置２と補助金具２０をねじ２４によって換気装置２の下部内側より締めつけ固定する構造となっているが、換気装置にねじ２４の固定部が設け、換気装置２の外側より補助金具と換気装置を固定する構成としても同様の効果を得ることができる。
【００２４】
また、本発明の吊り金具で取り付ける装置は、熱交換気扇、中間ダクト、天埋換気扇、気調システム等の空調機または換気装置であっても、同様の効果を奏するものである。
【００２５】
上記構成において、換気装置２を天井裏９の空間において、天井壁１２よりぶら下がっている吊りボルト１３に吊り金具を使用して設置するときには、図１および図２に示すように行う。つまり、天井張り６に設けてある埋め込み口８より換気装置２を埋め込み、作業者１０が点検口７よりフラップ金具１６と補助金具２０を六角ねじ１９で連結させた吊り金具で換気装置２と吊りボルト１３を固定し設置する。補助金具２０の下端部をフランジ部４に当接させて固定しても、吊りボルト１３と吊り金具をナット１４ａ、１４ｂとワッシャー１５ａ、１５ｂによって締めつけ固定する作業箇所が、換気装置２の天面を超えるため、作業者１０が点検口７より覗き、吊り金具がフランジ部４に設けてある４箇所の袋部２３のどこに固定されても、目視しながら吊りボルト１３に通してあるナット１４ａ、１４ｂを締めつけ、吊り金具と吊りボルト１３を固定できる。しかし、従来の吊り金具であれば、図８に示すように、吊りボルト１３と吊り金具をナット１４ａ、１４ｂとワッシャー１５ａ、１５ｂで締めつけ固定する作業箇所が、換気装置の天面部２５を超えていないため、換気装置１０２に吊り金具１１６を固定する位置が点検口１０７側に１箇所設けた場合は、点検口側とは反対側に固定した吊り金具１１６と吊りボルト１１３をワッシャー１１５ａ、１１５ｂとナット１１４ａ、１１４ｂで締めつけ固定する箇所が、換気装置１０２に隠れてしまい、ワッシャー１１５ａ、１１５ｂとナット１１４ａ、１１４ｂを締めつけ吊りボルト１１３と吊り金具１１６を固定する作業が目視しながらできなくなり、手探りの作業を余儀なくされる。これに対し本発明では、吊りボルト１３を吊り金具を構成しているフラップ金具１６のＵ字口１７に挿入する作業の際に、補助金具２０とフラップ金具１６を六角ねじ１９で連結しているため、フラップ金具１６が水平面上を自在に可動することになる。そのため、吊りボルト１３と吊り金具を固定する際に、六角ねじ１９を緩めておくことにより、フラップ金具１６を可動させることができる。そして、吊り金具と換気装置２とを固定する箇所のずれによる、吊りボルト１３と吊り金具のＵ字口１７との位置誤差を緩和できることとなる。また、補助金具２０とフラップ金具１６とを六角ねじ１９で連結していることにより、天井壁１２までの鉛直方向の空間距離が狭くてもレンチなどを使用して水平方向より締めつけ固定作業ができることとなる。また、フラップ金具１６の吊りボルト１３を通して固定する形状が、Ｕ字口１７となっているため、鉛直方向からの挿入だけでなく、水平方向からの挿入も可能となる。そして、換気装置２にダクト１１を配管するため、換気装置２にダクト１１の重さ、ダクト１１を接続したアダプター５の接続方向に引張力や押力がかかる場合があり、引張力、押力が換気装置２に加わってしまい左右方向に吊り金具が傾いてしまうことになるが、左右傾き方向の動きに対し阻止するようにフランジ部４に補助金具２０の下端の両端部に設けてある爪部２１を当接し固定するため、換気装置２のダクト１１配管接続後の設置安定性が向上することとなる。
【００２６】
このように本発明の実施形態１の吊り金具によれば、フラップ金具１６と補助金具２０を六角ねじ１９により構成する吊り金具において、吊りボルト１３を通して締めつけ固定する箇所であるＵ字口１７が、換気装置２の天面部２５より上側にあることにより、吊りボルト１３と吊り金具をワッシャー１５ａ、１５ｂとナット１４ａ、１４ｂで締めつけ固定する作業が目視しながらできる。
【００２７】
また、フラップ金具１６の吊りボルト１３を通す形状が、Ｕ字口１７になっているため鉛直方向からだけでなく、水平方向からも吊りボルト１３が挿入できる。
【００２８】
また、補助金具２０の下端の両端部に爪部２１を設け、フランジ部４に当接させることにより吊り金具の左右傾き方向の動きを阻止することができる。
【００２９】
また、フラップ金具１６と補助金具２０を六角ねじ１９で連結しているため、六角ねじ１９を締めつけ固定するところから天井壁１２までの空間が狭くても、レンチなどの工具を使用することにより水平方向からの締めつけ作業ができる。
【００３０】
また、吊り金具がフラップ金具１６と補助金具２０で構成され、補助金具２０の上部の水平面にフラップ金具１６の下面を当接させ、六角ねじ１９で連結することにより、六角ねじ１９を締めつけない状態であれば、フラップ金具１６が補助金具２０の上部の水平面上で可動自在で、吊りボルト１３と吊り金具との締めつけ位置の誤差を緩和させることができる。
【００３１】
また、フラップ金具１６のＵ字口１７の反対側の端部を円弧状に形成したことにより、フラップ金具１６が水平面上で移動または回動したとしてもフラップ金具１６周辺に存在する電源部またはコードを損傷することがなくなる。
【００３２】
また、吊り金具を使用して換気装置２を建物の天井裏９内で保持し取り付けることにより、換気装置２の天井裏９内での取り付けを容易に行うことができる。
【００３３】
（実施の形態２）
図５に示すように、フラップ金具１６と補助金具２６を六角ねじ１９によって連結する構成の吊り金具において、補助金具２６の下端の両端部に爪部２１を設け、補助金具２６とフランジ部４を当接させる端部２７の形状がコの字となっている。そして、補助金具２６における端部２７を、フランジ部４に形成される基部２８を設け、基部２８から換気装置の側面より一定間隔（補助金具２６の厚さにほぼ等しい間隔）で、上方に突出する保持部２９を形成した係合部３０に係合させる構成とする。また、図５において、図１および図２と同じ構成要素については同じ符号を用い、その説明を省略する。
【００３４】
上記構成において、図６および図７に示すように、補助金具２６の下端の両端に設けてある爪部２１を、フランジ部４に当接させ、補助金具２６のコの字形状の端部２７をフランジ部４に形成されている係合部３０に係合させ、換気装置の下部内側よりねじ２４で締めつけ固定する。そして、補助金具２６の左右傾き方向の動きに対し阻止するようにフランジ部４に設けた爪部２１を当接し固定するため、ダクトの配管接続後の設置安定性が向上することとなる。また、係合部３０に保持部２９が備えてあるため、補助金具２６の換気装置の側面と当接する面と反対側の面において、補助金具２６との当接面が大きくとることができる。そのため、補助金具２６の換気装置側への傾きと、保持部２９側への傾きの両方の動きに対しても阻止することができる構成となる。
【００３５】
このように本発明の実施の形態２の吊り金具によれば、吊り金具を構成する補助金具２６の下端の両端部に爪部２１を設け、フランジ部４に設けた係合部３０に係合させ、爪部２１とフランジ部４を当接することにより、吊り金具の左右傾き方向の動きを阻止することができる。
【００３６】
また、補助金具２６と係合部３０を係合させた際に、係合部３０に設けてある保持部２９により、吊り金具の前後の傾き方向の動きも阻止することができる。
【００３７】
【発明の効果】
以上のように、本発明の機器取付用の吊り金具によれば、機器の天井部より上方の位置でフラップ金具を吊りボルトに固定するとともに、補助金具の左右傾き方向の動きを阻止するようにその下端の両端部に爪部を設け、前記爪部を前記機器の前記フランジ部に当接させて前記補助金具を固定することにより、吊り金具と吊りボルトを締めつけ固定する作業が確実に目視しながら行うことができるとともに、吊り金具の設置安定性が向上することとなる。
【００３８】
また、フラップ金具と補助金具からなる構成の吊り金具で、吊りボルトを固定するフラップ金具と補助金具を六角ねじで連結する構成とすることにより、フラップ金具と補助金具とを水平方向より締めつけ作業ができる。
【００３９】
また、補助金具の上部に水平面を設け、この水平面にフラップ金具の下面を当接させ、六角ねじで連結することにより、フラップ金具が補助金具の上部の水平面上で可動自在で、吊りボルトと吊り金具との締めつけ位置の誤差を緩和させることができる。
【００４０】
また、フラップ金具の一端側を円弧状に形成したことにより、フラップ金具の周辺に存在する電源部またはコードを損傷することがなくなる。
【００４１】
また、機器の箱体のフランジ部に形成される基部から前記機器の側面から一定間隔設けて上方に突出する保持部を形成した係合部に補助金具の端部を係合させることにより、吊り金具の前後の傾き方向の動きも阻止することができる。
【００４２】
また、前述の機器取付用の吊り金具を使用して換気装置を建物の天井裏内で保持し取り付けることにより、換気装置の天井裏内での取り付けが容易に行うことができる。
【図面の簡単な説明】
【図１】本発明の実施の形態１における機器取付用の吊り金具と機器の構成を示す断面図
【図２】同機器取付用の吊り金具の構成を示す斜視図
【図３】同機器取付用の吊り金具の補助金具と袋部を示す拡大正面図
【図４】同機器取付用の吊り金具の補助金具と袋部を示す拡大断面図
【図５】本発明の実施の形態２における機器取付用の吊り金具を示す斜視図
【図６】同機器取付用の吊り金具の補助金具と係合部を示す拡大正面図
【図７】同機器取付用の吊り金具の補助金具と係合部を示す拡大断面図
【図８】従来の機器取付用の吊り金具と機器の構成を示す断面図
【図９】同機器取付用の吊り金具の構成を示す斜視図
【符号の説明】
２　　　　換気装置
４　　　　フランジ部
５　　　　アダプター
６　　　　天井張り
７　　　　点検口
８　　　　埋め込み口
９　　　　天井裏
１１　　　ダクト
１２　　　天井壁
１３　　　吊りボルト
１６　　　　フラップ金具
１７　　　　Ｕ字口
１９　　　　六角ねじ
２０　　　　補助金具
２１　　　　爪部
２２　　　　歯
２４　　　　ねじ
２５　　　　換気装置の天面部
２６　　　　補助金具
２７　　　　端部
２８　　　　基部
２９　　　　保持部
【図１】
2004028530.tif 000003
【図２】
2004028530.tif 000004
【図３】
2004028530.tif 000005
【図４】
2004028530.tif 000006
【図５】
2004028530.tif 000007
【図６】
2004028530.tif 000008
【図７】
2004028530.tif 000009
【図８】
2004028530.tif 000010
【図９】
2004028530.tif 000011